【事件の表示】
　特願２００２−　６８８８５「撮像装置及び映像信号生成方法」拒絶査定不服審判事件〔平成１５年　９月２６日出願公開、特開２００３−２７４２６４〕について、次のとおり審決する。
【結　論】
　本件審判の請求は、成り立たない。
【理　由】
第一　経緯
　
１．手続
　本願は，平成１４年３月１３日の出願である。
　本件は，本願についてされた拒絶査定（平成１７年５月３１日付け）を不服とする平成１７年７月７日の審判請求であり，同日付けで手続補正書（明細書及び図面について請求の日から３０日以内にする補正）が提出された。
　
２．査定
　原査定の理由は，概略，下記のとおりである。
　　　　　　　　　　　記
　出願の請求項１から請求項１１に係る発明は，いずれも，その出願前日本国内において頒布された下記の刊行物に記載された発明に基いて，その出願前にその発明の属する技術の分野における通常の知識を有する者が容易に発明をすることができたものであるから，特許法第２９条第２項の規定により，特許を受けることができない。
　　　　　　　　　　　記
引用例１：特開平５−４１８３６号公報
引用例２：特開昭６３−１６４５８９号公報
引用例３：特開昭６１−１８４０５７号公報
引用例４：特開２０００−１６５７５７号公報
引用例５：特開２００２−２７３２８号公報
　
第２．補正の却下の決定
　
　平成１７年７月７日付けの手続補正（以下「本件補正」という）について，以下のとおり決定する。
　
［結論］
　平成１７年７月７日付けの手続補正を却下する。
　
［理由］
１．本件補正の内容
　本件補正は，下記の補正事項を含むものである。
　　　　　　　　　　　　　記（補正事項）
請求項１から請求項１１について
「【請求項１】　飛び越し走査方式の複数の撮像素子と，
　前記複数の撮像素子の一群と残りの撮像素子とを逆インタレースフィールドで駆動して，前記複数の撮像素子のそれぞれから飛び越し走査方式の映像信号を出力させる制御手段と，
　前記飛び越し走査方式の映像信号を用いて補間処理を行い，順次走査方式の映像信号を生成する走査変換手段とを有し，
　前記制御手段では，前記複数の撮像素子の一群と残りの撮像素子を，フィールド期間毎にインタレースフィールドを切り替えて駆動する
ことを特徴とする請求項１記載の撮像装置。
　
【請求項２】
　前記走査変換手段では，前記飛び越し走査方式の映像信号のそれぞれに対して周波数帯域分割を行い，該周波数帯域分割によって得られた周波数成分を用いて
輝度補間を行う
ことを特徴とする請求項１記載の撮像装置。
　
【請求項３】
　前記走査変換手段は，
　前記飛び越し走査方式の映像信号毎に，前記順次走査方式の映像信号の低域成分と前記低域成分よりも高い周波数成分である高域成分を生成する周波数成分生成手段と，
　前記飛び越し走査方式の映像信号毎に生成した前記高域成分に基づいて輝度補間成分を生成する輝度補間成分生成手段と，
　前記順次走査方式の映像信号の各低域成分に，前記輝度補間成分を加算する成分加算手段とを有する
ことを特徴とする請求項２記載の撮像装置。
　
【請求項４】
　前記走査変換手段で生成された順次走査方式の映像信号を所定フレーム分毎に加算して，得られた加算信号を新たな映像信号として出力する信号加算手段を有する
ことを特徴とする請求項１記載の撮像装置。
　
【請求項５】
　前記制御手段では，シャッター動作を行うとき，前記所定フレーム分の期間に対してシャッター開期間を設定して前記複数の撮像素子を駆動して，前記複数の撮像素子からシャッター開期間に応じた前記飛び越し走査方式の映像信号を出力させる
ことを特徴とする請求項４記載の撮像装置。
　
【請求項６】
　インタレースフィールドの異なる飛び越し走査方式の映像信号を同時に得るものとし，
　前記飛び越し走査方式の映像信号を用いて補間処理を行い，順次走査方式の映像信号を生成し，
　前記飛び越し走査方式の映像信号は，フィールド期間毎にインタレースフィールドが切り替えられる信号とする
ことを特徴とする映像信号生成方法。
　
【請求項７】
　前記飛び越し走査方式の映像信号のそれぞれに対して周波数帯域分割を行い，該周波数帯域分割によって得られた周波数成分を用いて輝度補間を行う
ことを特徴とする請求項６記載の映像信号生成方法。
　
【請求項８】
　前記飛び越し走査方式の映像信号毎に，前記順次走査方式の映像信号の低域成分と前記低域成分よりも高い周波数成分である高域成分を生成し，
　前記飛び越し走査方式の映像信号毎に生成した前記高域成分に基づいて輝度補間成分を生成し，
　前記順次走査方式の映像信号の各低域成分に，前記輝度補間成分を加算する
ことを特徴とする請求項７記載の映像信号生成方法。
　
【請求項９】
　前記順次走査方式の映像信号を所定フレーム分毎に加算して，得られた加算信号を新たな映像信号とする
ことを特徴とする請求項６記載の映像信号生成方法。
　
【請求項１０】
　シャッター動作を行うとき，前記所定フレーム分の期間に対してシャッター開期間を設定して，該シャッター開期間に応じた前記飛び越し走査方式の映像信号に基づいて前記順次走査方式の映像信号を生成する
ことを特徴とする請求項９記載の映像信号生成方法。
　
【請求項１１】
　前記飛び越し走査方式の映像信号は，飛び越し走査方式の撮像素子から出力された信号である
ことを特徴とする請求項６記載の映像信号生成方法。」（補正前）とあるのを，
　
　
「【請求項１】
　飛び越し走査方式の複数の撮像素子と，
　前記複数の撮像素子の一群と残りの撮像素子とを逆インタレースフィールドで駆動
し，更に，前記複数の撮像素子の一群と残りの撮像素子を，フィールド期間毎にインタレースフィールドを切り替えるものとして，
　
前記複数の撮像素子の一群と残りの撮像素子とを逆インタレースフィールドで駆動し，更に，前記複数の撮像素子の一群と残りの撮像素子を，フィールド期間毎にインタレースフィールドを切り替えるものとして，前記複数の撮像素子のそれぞれから出力された飛び越し走査方式の映像信号を用い，該飛び越し走査方式の映像信号から順次走査方式の映像信号を補間処理によって
ことを特徴とする撮像装置。
　
【請求項２】
　前記走査変換手段では，前記飛び越し走査方式の映像信号のそれぞれに対して周波数帯域分割を行い，該周波数帯域分割によって得られた周波数成分を用いて輝度補間を行う
ことを特徴とする請求項１記載の撮像装置。
　
【請求項３】
　前記走査変換手段は，
　前記飛び越し走査方式の映像信号毎に，前記順次走査方式の映像信号の低域成分と前記低域成分よりも高い周波数成分である高域成分を生成する周波数成分生成手段と，
　前記飛び越し走査方式の映像信号毎に生成した前記高域成分に基づいて輝度補間成分を生成する輝度補間成分生成手段と，
　前記順次走査方式の映像信号の各低域成分に，前記輝度補間成分を加算する成分加算手段とを有する
ことを特徴とする請求項２記載の撮像装置。
　
【請求項４】
　前記走査変換手段で生成された順次走査方式の映像信号を所定フレーム分毎に加算して，得られた加算信号を新たな映像信号として出力する信号加算手段を有する
ことを特徴とする請求項１記載の撮像装置。
　
【請求項５】
　前記制御手段では，シャッター動作を行うとき，前記所定フレーム分の期間に対してシャッター開期間を設定して前記複数の撮像素子を駆動して，前記複数の撮像素子からシャッター開期間に応じた前記飛び越し走査方式の映像信号を出力させる
ことを特徴とする請求項４記載の撮像装置。
　
【請求項６】
　
複数の撮像素子の一群と残りの撮像素子とを逆インタレースフィールドで駆動し，更に，前記複数の撮像素子の一群と残りの撮像素子を，フィールド期間毎にインタレースフィールドを切り替えるものとして，前記複数の撮像素子のそれぞれから飛び越し走査方式の映像信号を得るものとし，　前記複数の撮像素子の一群と残りの撮像素子とを逆インタレースフィールドで駆動し，更に，前記複数の撮像素子の一群と残りの撮像素子を，フィールド期間毎にインタレースフィールドを切り替えるものとして，前記複数の撮像素子のそれぞれから出力された飛び越し走査方式の映像信号を用い，該飛び越し走査方式の映像信号から順次走査方式の映像信号を補間処理によって生成する
　
【請求項７】
　前記飛び越し走査方式の映像信号のそれぞれに対して周波数帯域分割を行い，該周波数帯域分割によって得られた周波数成分を用いて輝度補間を行う
ことを特徴とする請求項６記載の映像信号生成方法。
　
【請求項８】
　前記飛び越し走査方式の映像信号毎に，前記順次走査方式の映像信号の低域成分と前記低域成分よりも高い周波数成分である高域成分を生成し，
　前記飛び越し走査方式の映像信号毎に生成した前記高域成分に基づいて輝度補間成分を生成し，
　前記順次走査方式の映像信号の各低域成分に，前記輝度補間成分を加算する
ことを特徴とする請求項７記載の映像信号生成方法。
　
【請求項９】
　前記順次走査方式の映像信号を所定フレーム分毎に加算して，得られた加算信号を新たな映像信号とする
ことを特徴とする請求項６記載の映像信号生成方法。
　
【請求項１０】
　シャッター動作を行うとき，前記所定フレーム分の期間に対してシャッター開期間を設定して，該シャッター開期間に応じた前記飛び越し走査方式の映像信号に基づいて前記順次走査方式の映像信号を生成する
ことを特徴とする請求項９記載の映像信号生成方法。
　
【請求項１１】
　前記飛び越し走査方式の映像信号は，飛び越し走査方式の撮像素子から出力された信号である
ことを特徴とする請求項６記載の映像信号生成方法。」（補正後）と補正する。
　
２．本件補正の適合性
（１）補正の範囲（第１７条の２第３項）
　本件補正は，願書に最初に添付した明細書又は図面の記載に基づくものであり，願書に最初に添付した明細書又は図面に記載した事項の範囲内においてする補正である。
　
（２）補正の目的（第１７条の２第４項第１号−第４号）
　新請求項１は，旧請求項１の「制御手段」および「走査変換手段」について「複数の撮像素子の一群と残りの撮像素子を，フィールド期間毎にインターレースフィールドを切り替える」と補正するものであり，旧請求項１を減縮したものとみることができる。
　新請求項６は，旧請求項６の「飛び越し走査方式の映像信号」の取得に関し，「複数の撮像素子の一群と残りの撮像素子とを逆インタレースフィールドで駆動し，更に，前記複数の撮像素子の一群と残りの撮像素子を，フィールド期間毎にインタレースフィールドを切り替える」と補正するものであり，旧請求項６を減縮したものとみることができる。
　そして，補正の前後において産業上の利用分野及び解決しようとする課題は同一であるから，本件補正は，特許請求の範囲の減縮に該当する。
　
（３）独立特許要件（第１７条の２第５項）
　本件補正は，特許請求の範囲の減縮を目的とするものである。そこで，独立特許要件について検討する。
　
（ａ）補正後の本願発明
　本件補正後の請求項１に記載される発明（以下「補正後発明」という）は，以下のとおりである（再掲）。
　　　　　　　　　　　記（補正後発明）
　飛び越し走査方式の複数の撮像素子と，
　前記複数の撮像素子の一群と残りの撮像素子とを逆インタレースフィールドで駆動し，更に，前記複数の撮像素子の一群と残りの撮像素子を，フィールド期間毎にインタレースフィールドを切り替えるものとして，前記複数の撮像素子のそれぞれから飛び越し走査方式の映像信号を出力させる制御手段と，
　前記複数の撮像素子の一群と残りの撮像素子とを逆インタレースフィールドで駆動し，更に，前記複数の撮像素子の一群と残りの撮像素子を，フィールド期間毎にインタレースフィールドを切り替えるものとして，前記複数の撮像素子のそれぞれから出力された飛び越し走査方式の映像信号を用い，該飛び越し走査方式の映像信号から順次走査方式の映像信号を補間処理によって生成する走査変換手段とを有する
ことを特徴とする撮像装置。
　
（ｂ）引用刊行物の記載
　原査定の拒絶の理由に引用された刊行物である特開平５−４１８３６号公報（以下「刊行物１」という）には，図面と共に以下の事項が記載されている。
　
（ア）「【発明が解決しようとする課題】しかしながら上記の従来の構成では，プログレススキャンでは６０Hzごとに光電変換素子９の数の信号を転送して読み出すことが必要であり，したがってインターレーススキャン（６０Hz／５２５／２：１）の固体撮像素子では垂直転送部１０の電極１３が１つの光電変換素子９に対応して２つの電極が配置されているのに対してプログレススキャン用の固体撮像素子では垂直転送部１０の電極１３が１つの光電変換素子９に対応して４つの電極を配置することが必要となる。このために，１つの電極の面積を小さくしなければならないので，半導体における微細加工が要求され，かつ１つあたりの電極１３の面積が小さくなるので垂直転送部１０の最大転送容量が減少する。また水平転送部１１においてインターレーススキャンの固体撮像素子は６３．４μｓの期間に１ラインの信号を転送するのに対してプログレススキャンの２分の１の３１．７μｓの期間に１ラインの信号を転送しなければならない。したがって
同じ水平画素をもつ固体撮像素子の場合において，インターレーススキャンに対して，プログレススキャンの水平駆動パルスの周波数は２倍になるために転送効率が悪くなったり，電力が大幅に増加するという問題点
　本発明は上記
従来の問題点を解決するもので，従来から通常用いられていたインターレーススキャン用の固体撮像素子を用いて周波数特性の劣化が小さく，かつプログレススキャンの固体撮像素子を用いたと同数の水平ライン数の信号を得るための固体撮像装置を提供する
　
（イ）「ＣＤＳ２６，２７，２８から図３の波形図に示すような波形ａ，ａ'，ａ''が得られる。但し図３の波形に示す数値２ｎ，，，２（ｎ＋１），２（ｎ＋２），２（ｎ＋３），２ｎ＋１，２（ｎ＋１）＋１，２（ｎ＋２）＋１，２（ｎ＋３）＋１などは固体撮像素子２１を基準とした空間的な水平ライン番号を示している。また波形ａ，ａ'，ａ''においてそれぞれの水平ライン番号が２ずつ増えているのはインターライン読みだしのためである。固体撮像素子２１に対して固体撮像素子２２，２３は空間的に垂直方向に１ラインずらしているために，ＣＤＳ２６に対してＣＤＳ２７，２８の出力信号のタイミングは１ラインずれる。つぎにＣＤＳ２６，２７，２８の出力信号はそれぞれ１水平走査期間遅延させる１Ｈ遅延線２９，３０，３１によって図３に示すような波形ｂ，ｂ'，ｂ''の信号となり，さらに
１Ｈ遅延線２９，３０，３１出力信号とＣＤＳ出力信号を加算平均回路３２，３３，３４でそれぞれ加算平均し，すなわち波形ａとｂ，ａ'とｂ'，ａ''とｂ''を加算平均することによって図３に示す波形ｃ，ｃ'，ｃ''の補間信号が得られる。
　その結果
１フィルド内に得られる水平ライン本数はインターレーススキャンの固体撮像素子を用いているにもかかわらず，プログレススキャンの固体撮像素子を用いたと同様のライン本数，すなわちインターレーススキャンのライン本数の２倍のライン本数の出力信号が得られる。
　
（ウ）「以下本発明の第２の実施例について図面を参照しながら説明する。図４に示すように，固体撮像素子２１，２２，２３とＣＤＳ２６，２７，２８と１Ｈ遅延線２９，３０，３１と，加算平均回路３２，３３，３４と，時間圧縮回路３５，３６，３７，３８，３９，４０と，パラレルーシリアル変換器４１，４２，４３とは，図１の構成と同様なものである。図１と異なるのは，固体撮像素子２１と固体撮像素子２２，２３とを垂直方向に空間的に一致させて配置し，固体撮像素子２１を駆動する固体撮像素子用駆動回路５０と固体撮像素子２２，２３を駆動する固体撮像素子用駆動回路５１を別に設け，
固体撮像素子２１に対して固体撮像素子２２，２３の読みだしモードを１フィルドずらせて駆動するためのパルスを発生する固体撮像素子用パルス発生回路５２
　
（エ）「以上のように構成された固体撮像装置について，以下その動作を説明する。
固体撮像素子２１が奇数フィルド読みだしのときには固体撮像素子２２，２３が偶数フィルド読みだしになり，固体撮像素子２１が偶数フィルド読みだしのときは固体撮像素子２２，２３が奇数フィルド読みだしになるようなパルスを固体撮像素子用パルス発生回路５２で発生
　
（オ）「以上のように第２の実施例によれば，
固体撮像素子２１を固体撮像素子２２，２３に対して１フィルドずらして駆動し，固体撮像素子２１，２２，２３の出力信号と１水平走査期間遅延させた信号とのそれぞれの加算平均による補間信号を得ることによって，インターレーススキャンの固体撮像素子を用いているにもかかわらず，１フィルド期間内に得られる水平ライン本数はプログレススキャンの固体撮像素子を用いたと同本数の水平ライン数の信号が得られ，
　
（ｃ）対比（対応関係）
（ｃ１）撮像装置
　記載（ア）によれば，刊行物１に記載の発明は「固体撮像装置」であるから，補正後発明の「撮像装置」といえる。
　
（ｃ２）撮像素子
　記載（ウ）によれば，「固体撮像素子２１」と「固体撮像素子２２，２３」は，固体撮像素子用パルス発生回路５２の発生するパルスにより，読み出しモードを１フィルドずらせて駆動される。
　記載（エ）によれば，「固体撮像素子２１が奇数フィルド読み出しのときには固体撮像素子２２，２３が偶数フィルド読み出しとなり，固体撮像素子２１が偶数フィルド読み出しの時は固体撮像素子２２，２３が奇数フィルド読みだし」とされる。
　記載（オ）には「インターレーススキャンの固体撮像素子を用いているにもかかわらず」と，「固体撮像素子」が「インターレーススキャン」方式を採用することが記載されている。
　以上，刊行物１に記載の「固体撮像素子２１，２２，２３」は，偶数フィルドの読み出しと奇数フィルドの読み出しを交互に行う「インターレーススキャン」方式を採用するものであり，本願の「飛び越し操作方式」を採用するものといえる。
　そして，「固体撮像素子２１，２２，２３」は「複数の撮像素子」に相当するものであるから，刊行物１記載の発明は，補正後発明の「飛び越し操作方式の複数の撮像素子」を備えるものといえる。
　
（ｃ３）制御手段
　記載（ウ）によれば，固体撮像素子２１，２２，２３は，固体撮像素子用駆動回路５０，５１からのパルスによって駆動されるものであるから，この「固体撮像用駆動回路５０，５１」は，補正後発明の「制御手段」に対応するものである。
　記載（エ）によれば，固体撮像素子２１が奇数フィルドの読み出しであって，固体撮像素子２２，２３が偶数フィルドの読み出しを行う読み出しモード（以下「第１の読み出しモード」という）と，固体撮像素子２１が偶数フィルドの読み出しであって，固体撮像素子２２，２３が奇数フィルドの読み出しを行う読み出しモード（以下「第２の読み出しモード」という）とは，１フィルドずらせて行われている。
　このように，固体撮像素子２１と固体撮像素子２２，２３とは，第１，第２という異なる読み出しモードで駆動され，固体撮像素子２１，２２，２３のそれぞれは，第１の読み出しモードと第２の読み出しモードとがフィルド期間毎に切り替えられる。
　刊行物１の「固体撮像素子２２，２３」，「固体撮像素子２１」は，それぞれ，補正後発明の「複数の撮像素子の一群」，「残りの撮像素子」に相当する。
　そして，固体撮像素子２１と固体撮像素子２２，２３における異なる読み出しモードによる駆動は「逆インタレースフィールド」での駆動といえ，固体撮像素子２１，２２，２３でのフィルド期間毎に第１の見出しモードと第２の読み出しモードの切り替えは，補正後発明の「フィールド期間毎にインターレースフィールドを切り替えるもの」といえる。
　以上のことから，刊行物１記載の発明は，補正後発明における「複数の撮像素子の一群と残りの撮像素子とを逆インタレースフィールドで駆動し，更に，前記複数の撮像素子の一群と残りの撮像素子を，フィールド期間毎にインタレースフィールドを切り替えるものとして，前記複数の撮像素子のそれぞれから飛び越し走査方式の映像信号を出力させる制御手段」を備えるものといえる。
　
（ｃ４）走査変換手段
　記載（エ），及び，図４で説明される第２の実施例のパラレル−シリアル変換器４１，４２，４３からの出力信号ｆ，ｆ'，ｆ''は，第１の実施例の記載（イ），及び，図３において説明されるところ，
　固体撮像素子２１，２２，２３からの信号ａ，ａ'，ａ''と，それらを１Ｈ遅延線２９，３０，３１によって１水平走査期間遅延させた信号ｂ，ｂ'，ｂ''とを加算平均することで補間信号ｃ，ｃ'，ｃ''を得，
　信号ａ，ａ'，ａ''と信号ｃ，ｃ'，ｃ''を時間圧縮回路３５，３７，３９，３６，３８，４０で，それぞれ１水平走査ごとに２分の１に時間圧縮することによって，信号ｄ，ｄ'，ｄ''と信号ｅ，ｅ'，ｅ''を得，
　パラレル−シリアル変換器４１，４２，４３にて出力信号ｆ，ｆ'，ｆ''を，信号ｅ，ｅ'，ｅ''の信号部を１水平期間の前半部に，波形ｄ，ｄ'，ｄ''の信号部を１水平期間の後半部に配置することで得ている。
　
　この「固体撮像素子２１，２２，２３からの信号ａ，ａ'，ａ''と，それらを１Ｈ遅延線２９，３０，３１によって１水平走査期間遅延させた信号ｂ，ｂ'，ｂ''とを加算平均することによって得た補間信号ｃ，ｃ'，ｃ''を得」る処理は，補正後発明の「補間処理」に相当している。
　そして，信号ｄ，ｄ'，ｄ''と信号ｅ，ｅ'，ｅ''によって構成されるパラレル−シリアル変換器４１，４２，４３の出力信号ｆ，ｆ'，ｆ''は，補正後発明の「順次走査方式の映像信号」に相当するものである。
　以上のことから，刊行物１記載の発明は「前記複数の撮像素子のそれぞれから出力された飛び越し走査方式の映像信号を用い，該飛び越し走査方式の映像信号から順次走査方式の映像信号を補間処理によって生成する走査変換手段」を備えるものといえる。
　
（ｄ）判断
　上記（ｃ）の対比から分かるように刊行物１記載の発明は，補正後発明における「撮像素子」，「制御手段」，「走査変換手段」とを有することを特徴とする「撮像装置」といえるものであり，刊行物１記載の発明と補正後発明との間に構成上の差異はみられない。
　
（ｅ）まとめ（独立特許要件）
　以上，補正後発明は，刊行物１に記載された発明と同一であるから，特許法第２９条第１項第３号の規定により特許出願の際独立して特許を受けることができない。
　したがって，本件補正は，特許法第１７条の２第５項において準用する同法第１２６条第５項の規定に違反するので，特許法第１５９条第１項において読み替えて準用する同法第５３条第１項の規定により却下すべきものである。
　
第三　本願発明
　
　平成１７年７月７日付けの補正は上記のとおり却下する。
　本願の請求項１から請求項１１に係る発明は，本願明細書及び図面（平成１７年２月７日付けの手続補正書により補正された明細書及び図面）の記載からみて，それぞれ，その特許請求の範囲の請求項１から請求項１１までに記載した事項により特定されるとおりのものであるところ，そのうち，請求項２に係る発明（以下「本願発明」という）は，下記のとおりである。
　ここで，請求項１の末尾には「請求項１記載の撮像装置」と記載されるが，請求項１が特許請求の範囲における最初に記載された請求項であること，そして，上記記載が自己に従属する請求項としていることを鑑みると，上記記載は明らかな誤記と認められるため，請求項１の「請求項１記載の撮像装置」は「撮像装置」として認定した。
　
　　　　　　　　　　　　記（本願発明）
「【請求項１】
　飛び越し走査方式の複数の撮像素子と，
　前記複数の撮像素子の一群と残りの撮像素子とを逆インタレースフィールドで駆動して，前記複数の撮像素子のそれぞれから飛び越し走査方式の映像信号を出力させる制御手段と，
　前記飛び越し走査方式の映像信号を用いて補間処理を行い，順次走査方式の映像信号を生成する走査変換手段とを有し，
　前記制御手段では，前記複数の撮像素子の一群と残りの撮像素子を，フィールド期間毎にインタレースフィールドを切り替えて駆動する
ことを特徴とする撮像装置。
　
【請求項２】
　前記走査変換手段では，前記飛び越し走査方式の映像信号のそれぞれに対して周波数帯域分割を行い，該周波数帯域分割によって得られた周波数成分を用いて輝度補間を行う
ことを特徴とする請求項１記載の撮像装置。」
　
第四　査定の検討
　
１．引用刊行物の記載
　原査定の拒絶の理由に引用された刊行物１には，前記のとおりの記載がある。
　
２．対比（対応関係）
　本願発明と刊行物１に記載の発明との対応関係については前記のとおりであるところ，本願発明についてこれを援用する。
　
３．一致点・相違点
　本願発明と刊行物１に記載の発明との一致点および相違点は，下記のとおりである。
　　　　　　　　　　　　　記（一致点）
　飛び越し走査方式の複数の撮像素子と，
　前記複数の撮像素子の一群と残りの撮像素子とを逆インタレースフィールドで駆動して，前記複数の撮像素子のそれぞれから飛び越し走査方式の映像信号を出力させる制御手段と，
　前記飛び越し走査方式の映像信号を用いて補間処理を行い，順次走査方式の映像信号を生成する走査変換手段とを有し，
　前記制御手段では，前記複数の撮像素子の一群と残りの撮像素子を，フィールド期間毎にインタレースフィールドを切り替えて駆動する
ことを特徴とする撮像装置。
　
　　　　　　　　　　　　　記（相違点）
　本願発明では「走査変換手段では，前記飛び越し走査方式の映像信号のそれぞれに対して周波数帯域分割を行い，該周波数帯域分割によって得られた周波数成分を用いて輝度補間を行う」のに対し，刊行物１にはその点の記載はない。
　
４．相違点の判断等刊行物２の記載
　原査定の拒絶の理由に引用された刊行物２（特開昭６３−１６４５８９号公報）には，次のとおりの記載がある。
　
（カ）「上記固体撮像素子２６R，２６G，２６Bの各出力信号は増幅器２９R，２９G，２９Bで所定のレベルに増幅されるとともに白バランス調整がなされた後，プロセス回路３０R，３０G，３０Bに導かれてガンマ補正及び白クリップ等の非線形処理が施される。このプロセス回路３０R，３０G，３０Bの出力はその一部がそれぞれ遮断周波数５ＭＨｚの第１乃至第３のＬＰＦ３１R，３１G，３１Bを通ってナイキスト限界以上の成分が除去された後，第１乃至第３の加算器３７R，３７G，３７Bに加えられる。
　一方，上記プロセス回路３０R，３０G，３０Bの出力信号における他の一部は輝度信号の高域成分合成回路３２の第１の広帯域輝度信号合成回路３３に導かれて広帯域輝度信号Ｙwが合成される。この第１の広帯域輝度信号合成回路３３は例えば第４図に示すようにその端子８１，８２，８３に対してＥG，ＥR，ＥB信号が供給されると共に，その端子８７，８８にはそれぞれゲートパルスＰG，ＰRBが第５図に示す所定のタイミングで供給される。このＥR，ＥB信号は増幅器８４，８５でレベル調整された後，加算回路８６で加算され，ＥG信号と同レベルに調整される。
　そして，第１の広帯域輝度信号合成回路３３はＥG，ＥR＋ＥB信号の各ゲート回路９０，９１が並列接続されており，このゲート回路９０，９１のゲート出力はトランジスタ９２を介して出力端子８９に導出される。しかして，上記広帯域輝度信号ＹwはＥG，ＥR＋ＥB信号が互いにπ位相ずれているので，互いにπ位相の関係にあるゲートパルスＰG，ＰRBでゲートした後に，補間することにより得られる。これにより，広帯域輝度信号Ｙwのナイキスト周波数は理論的に２倍の１０．７４ＭＨｚとなり，水平解像度が約８００ＴＶ本となる。なお，増幅器８４，８５の増幅率は無彩色被写体の場合，ＥG，ＥR＋ＥB信号のレベルを等しく設定することにより，再生画像の全体としての解像感が向上される。
　次に，広帯域輝度信号Ｙwは上記第１乃至第３のＬＰＦ３１R，３１G，３１Bと同じ遮断周波数の第４のＬＰＦ３４を通してナイキスト限界以上の不要な高域成分が除去されてＹL信号となされて減算回路３６に導かれる。同時に，広帯域輝度信号Ｙwは第４のＬＰＦ３４と同じ遅延時間を有した第１の遅延線３５を介して上記減算回路３６に導かれ，該減算回路３６で上記ＹL信号が減算されて高域成分ＹH（＝Ｙw−ＹL）を得る。そして，このＹH信号は第１乃至第３の加算回路３７R，３７G，３７Bに導かれ，広帯域の３原色信号であるＥR'（＝ＥRL＋ＹH），ＥG'（＝ＥGL十ＹH），ＥB'（＝ＥBL十ＹH）となされる。」（３ページ左下欄１５行−４ページ右上欄６行）
　
判断
　この記載（カ）によれば，刊行物２に記載される発明では，以下に記載の処理が行われている。
　各固体撮像素子２６R，２６G，２６Bの出力信号は，増幅回路，プロセス回路を経た後，第１から第３のＬＰＦ３１R，３１G，３１Bに加えられ，
　第１から第３のＬＰＦ３１R，３１G，３１Bでは，所定の遮断周波数以上の成分が除去されて第１から第３の加算回路３７R，３７G，３７Bに加えられる。
　一方，プロセス回路からの固体撮像素子２６R，２６G，２６Bの出力信号は，高域成分合成回路３２にも供給され，
　高域成分合成回路３２では，広帯域輝度信号Ｙwを生成した後，この広帯域輝度信号Ｙwから第４のＬＰＦ３４にて，第１から第３のＬＰＦ３１R，３１G，３１Bと同じ遮断周波数以上の高域成分ＹHが抽出され第１から第３の加算回路３７R，３７G，３７Bに加えられる。
　すなわち，刊行物２には，第１から第３のＬＰＦ３１R，３１G，３１Bと第４のＬＰＦ３４とが，同じ遮断周波数を用いている点からして，各固体撮像素子からの信号を同じ遮断周波数で高域成分と低域成分に分けた上で輝度に関する処理を行うことが実質記載されるものである。
　他方，本願発明においては「輝度補間」について何等詳細に規定するものではないから，刊行物２に記載された輝度に関する処理を，本願発明でいう「輝度補間」と称することに支障はない。
　そして，刊行物１に記載の各固体撮像素子からの飛び越し走査方式の信号のそれぞれに対して，輝度に関する処理を行うことは当業者であれば適宜に行うものであり，刊行物１に記載の発明において「飛び越し走査方式の映像信号のそれぞれに対して周波数帯域分割を行い，該周波数帯域分割によって得られた周波数成分を用いて輝度補間を行う」ことは，刊行物２の「各固体撮像素子からの信号を同じ遮断周波数で高域成分と低域成分に分けた上で輝度に関する処理を行うこと」を参照することにより当業者であれば容易になし得る事項である。
　
効果等について
　本願発明の効果も，刊行物１および刊行物２の記載から予測することができる程度のものにすぎない。
　
５．まとめ（査定の検討）
　したがって，本願発明は，刊行物１および刊行物２に記載された発明に基づいて当業者が容易に発明をすることができたものである。
　
第五　むすび
　
　以上，本願の請求項２に係る発明は，刊行物１および刊行物２に記載された発明に基づいて当業者が容易に発明をすることができたものであるから，特許法第２９条第２項の規定により特許を受けることができない。
　したがって，残る請求項１，請求項３から請求項１１までに係る各発明について特に検討をするまでもなく，本願は拒絶をすべきものである。
　よって，結論のとおり審決する。